(57)【要約】【課題】  印刷済みの記録媒体が他人に持ち去られたり、その印刷内容が他人に見られたりする可能性を低減することができる画像形成装置および装置制御プログラムを提供する。【解決手段】  画像形成装置は、プリンターによって印刷が実行された記録媒体をロックを掛けて収納するセキュリティーボックスの少なくとも１つに記録媒体が収納されていない場合に、セキュリティーボックスに記録媒体を搬送し、全てのセキュリティーボックスに記録媒体が収納されている場合に、臨時トレイに記録媒体を搬送し、臨時トレイに記録媒体が載置されている場合に（Ｓ２０１でＹＥＳ）、セキュリティーボックスの少なくとも１つに記録媒体が収納されていないとき（Ｓ２０２でＹＥＳ）、臨時トレイに載置されている記録媒体をセキュリティーボックスに搬送する（Ｓ２０４）ことを特徴とする。【選択図】  図１３
2019055873.tif 000002
【特許請求の範囲】
【請求項１】
記録媒体への画像の印刷を実行する印刷デバイスと、
前記記録媒体を搬送する搬送デバイスと、
前記印刷デバイスによって印刷が実行された前記記録媒体をロックを掛けて収納する少なくとも１つの収納デバイスと、
全ての前記収納デバイスに前記記録媒体が収納されている場合に前記記録媒体が載置される少なくとも１つの臨時載置部と、
前記搬送デバイスによる前記記録媒体の搬送を制御する搬送制御手段と
を備え、
前記搬送制御手段は、
少なくとも１つの前記収納デバイスに前記記録媒体が収納されていない場合に、前記印刷デバイスによる印刷が実行された前記記録媒体を、前記記録媒体が収納されていない、いずれか１つの前記収納デバイスに搬送し、
全ての前記収納デバイスに前記記録媒体が収納されていて、少なくとも１つの前記臨時載置部に前記記録媒体が載置されていない場合に、前記印刷デバイスによる印刷が実行された前記記録媒体を、前記記録媒体が載置されていない、いずれか１つの前記臨時載置部に搬送し、
少なくとも１つの前記臨時載置部に前記記録媒体が載置されている場合に、少なくとも１つの前記収納デバイスに前記記録媒体が収納されていないとき、いずれか１つの前記臨時載置部に載置されている前記記録媒体を、前記記録媒体が収納されていない、いずれか１つの前記収納デバイスに搬送する
ことを特徴とする画像形成装置。
【請求項２】
前記搬送制御手段は、少なくとも１つの前記臨時載置部に前記記録媒体が載置されている場合に、少なくとも１つの前記収納デバイスに前記記録媒体が収納されていないとき、前記印刷デバイスによって最も先に印刷が実行された前記記録媒体が載置されている前記臨時載置部に載置されている前記記録媒体を、前記記録媒体が収納されていない、いずれか１つの前記収納デバイスに搬送することを特徴とする請求項１に記載の画像形成装置。
【請求項３】
前記記録媒体が載置されるが前記臨時載置部ではない通常載置部と、
前記印刷デバイスによる印刷を制御する印刷制御手段と、
前記記録媒体の出力先の希望を利用者に問い合わせる出力先問い合わせ手段と
を備え、
前記印刷制御手段は、全ての前記収納デバイスに前記記録媒体が収納されていて、全ての前記臨時載置部に前記記録媒体が載置されている場合に、前記出力先として前記収納デバイスが指定された印刷データに基づいた前記印刷デバイスによる印刷を中止し、
前記出力先問い合わせ手段は、全ての前記収納デバイスに前記記録媒体が収納されていて、全ての前記臨時載置部に前記記録媒体が載置されている場合に、前記出力先として前記収納デバイスが指定された前記印刷データに基づいた前記印刷デバイスによる印刷の前記出力先を前記通常載置部にするか否かを問い合わせ、
前記印刷制御手段は、前記出力先を前記通常載置部にするという回答が前記出力先問い合わせ手段によって受け付けられた場合に、中止していた印刷を再開し、
前記搬送制御手段は、前記出力先を前記通常載置部にするという回答が前記出力先問い合わせ手段によって受け付けられた場合に、再開された印刷において前記印刷デバイスによって印刷が実行された前記記録媒体を、前記通常載置部に搬送する
ことを特徴とする請求項１または請求項２に記載の画像形成装置。
【請求項４】
前記収納デバイスに収納されている前記記録媒体の回収を利用者に依頼する回収依頼手段を備え、
前記回収依頼手段は、全ての前記収納デバイスに前記記録媒体が収納されている場合に、前記回収を依頼することを特徴とする請求項１から請求項３までのいずれかに記載の画像形成装置。
【請求項５】
前記回収依頼手段は、全ての前記収納デバイスに前記記録媒体が収納されている場合に、前記収納デバイスに収納されている前記記録媒体のうち、前記印刷デバイスによって最も先に印刷が実行された前記記録媒体について、前記回収を依頼することを特徴とする請求項４に記載の画像形成装置。
【請求項６】
記録媒体への画像の印刷を実行する印刷デバイスと、
前記記録媒体を搬送する搬送デバイスと、
前記印刷デバイスによって印刷が実行された前記記録媒体をロックを掛けて収納する少なくとも１つの収納デバイスと、
全ての前記収納デバイスに前記記録媒体が収納されている場合に前記記録媒体が載置される少なくとも１つの臨時載置部と
を備える画像形成装置に、前記搬送デバイスによる前記記録媒体の搬送を制御する搬送制御手段を実現させ、
前記搬送制御手段は、
少なくとも１つの前記収納デバイスに前記記録媒体が収納されていない場合に、前記印刷デバイスによる印刷が実行された前記記録媒体を、前記記録媒体が収納されていない、いずれか１つの前記収納デバイスに搬送し、
全ての前記収納デバイスに前記記録媒体が収納されていて、少なくとも１つの前記臨時載置部に前記記録媒体が載置されていない場合に、前記印刷デバイスによる印刷が実行された前記記録媒体を、前記記録媒体が載置されていない、いずれか１つの前記臨時載置部に搬送し、
少なくとも１つの前記臨時載置部に前記記録媒体が載置されている場合に、少なくとも１つの前記収納デバイスに前記記録媒体が収納されていないとき、いずれか１つの前記臨時載置部に載置されている前記記録媒体を、前記記録媒体が収納されていない、いずれか１つの前記収納デバイスに搬送する
ことを特徴とする装置制御プログラム。
【発明の詳細な説明】
【技術分野】
【０００１】
本発明は、印刷済みの記録媒体をロックを掛けて収納することができる画像形成装置および装置制御プログラムに関する。
【背景技術】
【０００２】
従来、印刷済みの記録媒体をロックを掛けて収納することができる画像形成装置として、記録媒体への画像の印刷を実行するプリンター本体と、記録媒体を搬送する出力部と、プリンター本体によって印刷が実行された記録媒体をロックを掛けて収納する複数のセキュリティーボックスと、全てのセキュリティーボックスに記録媒体が収納されている場合に記録媒体が載置される１つの共用トレイとを備えるプリンターが知られている（例えば、特許文献１参照。）。
【０００３】
特許文献１に記載されているプリンターは、プリンター本体による印刷が実行される場合に、少なくとも１つのセキュリティーボックスに記録媒体が収納されていないとき、プリンター本体による印刷が実行された記録媒体を、記録媒体が収納されていない、いずれか１つのセキュリティーボックスに搬送する。
【０００４】
特許文献１に記載されているプリンターは、プリンター本体による印刷が実行される場合に、全てのセキュリティーボックスに記録媒体が収納されているとき、プリンター本体による印刷が実行された全ての記録媒体を共用トレイに搬送する。
【先行技術文献】
【特許文献】
【０００５】
【特許文献１】特開２００８−２６２５６３号公報
【発明の概要】
【発明が解決しようとする課題】
【０００６】
しかしながら、特許文献１に記載されているプリンターにおいては、共用トレイに搬送された記録媒体が他人に持ち去られたり、その印刷内容が他人に見られたりする可能性があるという問題がある。
【０００７】
そこで、本発明は、印刷済みの記録媒体が他人に持ち去られたり、その印刷内容が他人に見られたりする可能性を低減することができる画像形成装置および装置制御プログラムを提供することを目的とする。
【課題を解決するための手段】
【０００８】
本発明の画像形成装置は、記録媒体への画像の印刷を実行する印刷デバイスと、前記記録媒体を搬送する搬送デバイスと、前記印刷デバイスによって印刷が実行された前記記録媒体をロックを掛けて収納する少なくとも１つの収納デバイスと、全ての前記収納デバイスに前記記録媒体が収納されている場合に前記記録媒体が載置される少なくとも１つの臨時載置部と、前記搬送デバイスによる前記記録媒体の搬送を制御する搬送制御手段とを備え、前記搬送制御手段は、少なくとも１つの前記収納デバイスに前記記録媒体が収納されていない場合に、前記印刷デバイスによる印刷が実行された前記記録媒体を、前記記録媒体が収納されていない、いずれか１つの前記収納デバイスに搬送し、全ての前記収納デバイスに前記記録媒体が収納されていて、少なくとも１つの前記臨時載置部に前記記録媒体が載置されていない場合に、前記印刷デバイスによる印刷が実行された前記記録媒体を、前記記録媒体が載置されていない、いずれか１つの前記臨時載置部に搬送し、少なくとも１つの前記臨時載置部に前記記録媒体が載置されている場合に、少なくとも１つの前記収納デバイスに前記記録媒体が収納されていないとき、いずれか１つの前記臨時載置部に載置されている前記記録媒体を、前記記録媒体が収納されていない、いずれか１つの前記収納デバイスに搬送することを特徴とする。
【０００９】
この構成により、本発明の画像形成装置は、少なくとも１つの臨時載置部に記録媒体が載置されている場合に、少なくとも１つの収納デバイスに記録媒体が収納されていないとき、いずれか１つの臨時載置部に載置されている記録媒体を、記録媒体が収納されていない、いずれか１つの収納デバイスに搬送するので、臨時載置部に記録媒体が長期間載置されたままになる可能性を低減することができ、その結果、印刷済みの記録媒体が他人に持ち去られたり、その印刷内容が他人に見られたりする可能性を低減することができる。
【００１０】
本発明の画像形成装置において、前記搬送制御手段は、少なくとも１つの前記臨時載置部に前記記録媒体が載置されている場合に、少なくとも１つの前記収納デバイスに前記記録媒体が収納されていないとき、前記印刷デバイスによって最も先に印刷が実行された前記記録媒体が載置されている前記臨時載置部に載置されている前記記録媒体を、前記記録媒体が収納されていない、いずれか１つの前記収納デバイスに搬送しても良い。
【００１１】
この構成により、本発明の画像形成装置は、少なくとも１つの臨時載置部に記録媒体が載置されている場合に、少なくとも１つの収納デバイスに記録媒体が収納されていないとき、印刷デバイスによって最も先に印刷が実行された記録媒体が載置されている臨時載置部に載置されている記録媒体を、記録媒体が収納されていない、いずれか１つの収納デバイスに搬送するので、印刷デバイスによる印刷が実行された記録媒体を収納デバイスに搬送する順番に関する公平性を向上することができる。
【００１２】
本発明の画像形成装置は、前記記録媒体が載置されるが前記臨時載置部ではない通常載置部と、前記印刷デバイスによる印刷を制御する印刷制御手段と、前記記録媒体の出力先の希望を利用者に問い合わせる出力先問い合わせ手段とを備え、前記印刷制御手段は、全ての前記収納デバイスに前記記録媒体が収納されていて、全ての前記臨時載置部に前記記録媒体が載置されている場合に、前記出力先として前記収納デバイスが指定された印刷データに基づいた前記印刷デバイスによる印刷を中止し、前記出力先問い合わせ手段は、全ての前記収納デバイスに前記記録媒体が収納されていて、全ての前記臨時載置部に前記記録媒体が載置されている場合に、前記出力先として前記収納デバイスが指定された前記印刷データに基づいた前記印刷デバイスによる印刷の前記出力先を前記通常載置部にするか否かを問い合わせ、前記印刷制御手段は、前記出力先を前記通常載置部にするという回答が前記出力先問い合わせ手段によって受け付けられた場合に、中止していた印刷を再開し、前記搬送制御手段は、前記出力先を前記通常載置部にするという回答が前記出力先問い合わせ手段によって受け付けられた場合に、再開された印刷において前記印刷デバイスによって印刷が実行された前記記録媒体を、前記通常載置部に搬送しても良い。
【００１３】
この構成により、本発明の画像形成装置は、全ての収納デバイスに記録媒体が収納されていて、全ての臨時載置部に記録媒体が載置されている場合、出力先として収納デバイスが指定された印刷データに基づいた印刷デバイスによる印刷の出力先を通常載置部にするという回答を利用者から受け付けたときに、印刷デバイスによって印刷が実行された記録媒体を通常載置部に搬送するので、利用者が意図していない記録媒体が通常載置部に載置されたままになることを防止することができる。
【００１４】
本発明の画像形成装置は、前記収納デバイスに収納されている前記記録媒体の回収を利用者に依頼する回収依頼手段を備え、前記回収依頼手段は、全ての前記収納デバイスに前記記録媒体が収納されている場合に、前記回収を依頼しても良い。
【００１５】
この構成により、本発明の画像形成装置は、全ての収納デバイスに記録媒体が収納されている場合に、収納デバイスに収納されている記録媒体の回収を利用者に依頼するので、少なくとも１つの収納デバイスに記録媒体が収納されていないタイミングで記録媒体の回収を不必要に利用者に依頼することを抑えることができ、利便性を向上することができる。
【００１６】
本発明の画像形成装置において、前記回収依頼手段は、全ての前記収納デバイスに前記記録媒体が収納されている場合に、前記収納デバイスに収納されている前記記録媒体のうち、前記印刷デバイスによって最も先に印刷が実行された前記記録媒体について、前記回収を依頼しても良い。
【００１７】
この構成により、本発明の画像形成装置は、全ての収納デバイスに記録媒体が収納されている場合に、収納デバイスに収納されている記録媒体のうち、印刷デバイスによって最も先に印刷が実行された記録媒体について回収を利用者に依頼するので、収納デバイスに記録媒体が収納されたままにすることに関する利用者間の公平性を向上することができ、その結果、利便性を向上することができる。
【００１８】
本発明の装置制御プログラムは、記録媒体への画像の印刷を実行する印刷デバイスと、前記記録媒体を搬送する搬送デバイスと、前記印刷デバイスによって印刷が実行された前記記録媒体をロックを掛けて収納する少なくとも１つの収納デバイスと、全ての前記収納デバイスに前記記録媒体が収納されている場合に前記記録媒体が載置される少なくとも１つの臨時載置部とを備える画像形成装置に、前記搬送デバイスによる前記記録媒体の搬送を制御する搬送制御手段を実現させ、前記搬送制御手段は、少なくとも１つの前記収納デバイスに前記記録媒体が収納されていない場合に、前記印刷デバイスによる印刷が実行された前記記録媒体を、前記記録媒体が収納されていない、いずれか１つの前記収納デバイスに搬送し、全ての前記収納デバイスに前記記録媒体が収納されていて、少なくとも１つの前記臨時載置部に前記記録媒体が載置されていない場合に、前記印刷デバイスによる印刷が実行された前記記録媒体を、前記記録媒体が載置されていない、いずれか１つの前記臨時載置部に搬送し、少なくとも１つの前記臨時載置部に前記記録媒体が載置されている場合に、少なくとも１つの前記収納デバイスに前記記録媒体が収納されていないとき、いずれか１つの前記臨時載置部に載置されている前記記録媒体を、前記記録媒体が収納されていない、いずれか１つの前記収納デバイスに搬送することを特徴とする。
【００１９】
この構成により、本発明の装置制御プログラムを実行する画像形成装置は、少なくとも１つの臨時載置部に記録媒体が載置されている場合に、少なくとも１つの収納デバイスに記録媒体が収納されていないとき、いずれか１つの臨時載置部に載置されている記録媒体を、記録媒体が収納されていない、いずれか１つの収納デバイスに搬送するので、臨時載置部に記録媒体が長期間載置されたままになる可能性を低減することができ、その結果、印刷済みの記録媒体が他人に持ち去られたり、その印刷内容が他人に見られたりする可能性を低減することができる。
【発明の効果】
【００２０】
本発明の画像形成装置および装置制御プログラムは、印刷済みの記録媒体が他人に持ち去られたり、その印刷内容が他人に見られたりする可能性を低減することができる。
【図面の簡単な説明】
【００２１】
【図１】本発明の一実施の形態に係る印刷システムのブロック図である。
【図２】図１に示すコンピューターのブロック図である。
【図３】ＭＦＰである場合の、図１に示す画像形成装置の正面図である。
【図４】図３に示す画像形成装置のブロック図である。
【図５】（ａ）臨時トレイからセキュリティーボックスに搬送する場合の初期状態での、図３に示す搬送部の一部の内部構造を示す模式図である。  （ｂ）臨時トレイからセキュリティーボックスに搬送する場合の図５（ａ）に示す状態の後続の状態での搬送部の一部の内部構造を示す模式図である。
【図６】（ａ）臨時トレイからセキュリティーボックスに搬送する場合の図５（ｂ）に示す状態の後続の状態での搬送部の一部の内部構造を示す模式図である。  （ｂ）臨時トレイからセキュリティーボックスに搬送する場合の図６（ａ）に示す状態の後続の状態での搬送部の一部の内部構造を示す模式図である。
【図７】図４に示す電子メールアドレス管理情報の一例を示す図である。
【図８】図４に示すボックス管理情報の一例を示す図である。
【図９】図４に示す臨時トレイ管理情報の一例を示す図である。
【図１０】印刷データを受信した場合の、図３に示す画像形成装置の動作の一部のフローチャートである。
【図１１】印刷データを受信した場合の、図３に示す画像形成装置の動作のうち、図１０に示す部分以外の部分のフローチャートである。
【図１２】セキュリティーボックスに収納されている記録媒体が回収される場合の、図３に示す画像形成装置の動作のフローチャートである。
【図１３】臨時トレイに載置されている記録媒体をセキュリティーボックスに搬送する場合の、図３に示す画像形成装置の動作のフローチャートである。
【発明を実施するための形態】
【００２２】
以下、本発明の実施の形態について、図面を用いて説明する。
【００２３】
まず、本発明の一実施の形態に係る印刷システムの構成について説明する。
【００２４】
図１は、本実施の形態に係る印刷システム１０のブロック図である。
【００２５】
図１に示すように、印刷システム１０は、印刷データを生成するコンピューター２０と、画像形成装置としての画像形成装置３０とを備えている。
【００２６】
コンピューター２０は、例えば、ＰＣ（Ｐｅｒｓｏｎａｌ  Ｃｏｍｐｕｔｅｒ）である。
【００２７】
画像形成装置３０は、例えば、ＭＦＰ（Ｍｕｌｔｉｆｕｎｃｔｉｏｎ  Ｐｅｒｉｐｈｅｒａｌ）、プリンター専用機である。
【００２８】
コンピューター２０と、画像形成装置３０とは、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、互いに通信可能である。
【００２９】
印刷システム１０は、コンピューター２０と同様のコンピューターを、コンピューター２０以外に少なくとも１つ備えることができる。印刷システム１０は、画像形成装置３０と同様な画像形成装置を画像形成装置３０以外に少なくとも１つ備えることができる。
【００３０】
図２は、コンピューター２０のブロック図である。
【００３１】
図２に示すように、コンピューター２０は、種々の操作が入力される例えばキーボード、マウスなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、ネットワーク経由で、または、ネットワークを介さずに有線または無線によって直接に、外部の装置と通信を行う通信デバイスである通信部２３と、各種の情報を記憶する半導体メモリー、ＨＤＤ（Ｈａｒｄ  Ｄｉｓｋ  Ｄｒｉｖｅ）などの不揮発性の記憶デバイスである記憶部２４と、コンピューター２０全体を制御する制御部２５とを備えている。
【００３２】
記憶部２４は、画像形成装置に印刷を実行させるためのプリンタードライバー２４ａを記憶している。プリンタードライバー２４ａは、例えば、コンピューター２０の製造段階でコンピューター２０にインストールされていても良いし、ＵＳＢ（Ｕｎｉｖｅｒｓａｌ  Ｓｅｒｉａｌ  Ｂｕｓ）メモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からコンピューター２０に追加でインストールされても良いし、ネットワーク上からコンピューター２０に追加でインストールされても良い。
【００３３】
制御部２５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行する。
【００３４】
制御部２５は、プリンタードライバー２４ａを実行することによって、印刷データを生成し、生成した印刷データを画像形成装置に送信することができる。制御部２５は、利用者によって指定された、記録媒体の出力先を示す指定出力先情報を印刷データに含めることが可能である。利用者は、操作部２１を介して、記録媒体の出力先として、後述する通常トレイと、後述するキャビネットとのいずれかを指定することができる。制御部２５は、記録媒体の出力先が指定されていない印刷データ（以下「無指定印刷データ」という。）と、記録媒体の出力先として通常トレイが指定された印刷データ（以下「通常トレイ指定印刷データ」という。）と、記録媒体の出力先としてキャビネットが指定された印刷データ（以下「キャビネット指定印刷データ」という。）とのいずれかを印刷データとして生成することができる。制御部２５は、印刷データの生成を指示した利用者の識別情報（以下「利用者ＩＤ」という。）をキャビネット指定印刷データに必ず含ませる。
【００３５】
図３は、ＭＦＰである場合の画像形成装置３０の正面図である。図４は、図３に示す画像形成装置３０のブロック図である。
【００３６】
図３および図４に示す画像形成装置３０は、種々の操作が入力されるボタンなどの入力デバイスである操作部３１と、種々の情報を表示するＬＣＤなどの表示デバイスである表示部３２と、用紙などの記録媒体への画像の印刷を実行する印刷デバイスであるプリンター３３と、プリンター３３によって印刷が実行される記録媒体を搬送する搬送デバイスとしての搬送部３４と、プリンター３３によって印刷が実行された記録媒体が載置される１つの通常トレイ３５と、プリンター３３によって印刷が実行された記録媒体が載置される２つの臨時トレイ３６と、プリンター３３によって印刷が実行された記録媒体をロックを掛けて収納する収納デバイスとしてのセキュリティーボックス３７ａを複数備えるキャビネット３７と、原稿から画像を読み取る読取デバイスであるスキャナー３８と、図示していない外部のファクシミリ装置と公衆電話回線などの通信回線経由でファックス通信を行うファックスデバイスであるファックス通信部３９と、ネットワーク経由で、または、ネットワークを介さずに有線または無線によって直接に、外部の装置と通信を行う通信デバイスである通信部４０と、各種の情報を記憶する半導体メモリー、ＨＤＤなどの不揮発性の記憶デバイスである記憶部４１と、画像形成装置３０全体を制御する制御部４２とを備えている。
【００３７】
操作部３１は、一部が表示部３２とともにタッチパネルを構成している。
【００３８】
搬送部３４は、プリンター３３によって印刷が実行された記録媒体を通常トレイ３５に搬送することができる。搬送部３４は、プリンター３３によって印刷が実行された記録媒体を２つの臨時トレイ３６のいずれにも搬送することができる。搬送部３４は、プリンター３３によって印刷が実行された記録媒体を複数のセキュリティーボックス３７ａのいずれにも搬送することができる。なお、搬送部３４は、プリンター３３によって印刷が実行された記録媒体をセキュリティーボックス３７ａに搬送する場合、プリンター３３から臨時トレイ３６を経由せずにセキュリティーボックス３７ａに搬送することもできるし、プリンター３３によって印刷が実行された記録媒体を臨時トレイ３６に搬送した後、臨時トレイ３６からセキュリティーボックス３７ａに搬送することもできる。
【００３９】
図５（ａ）は、臨時トレイ３６からセキュリティーボックス３７ａに搬送する場合の初期状態での搬送部３４の一部の内部構造を示す模式図である。図５（ｂ）は、臨時トレイ３６からセキュリティーボックス３７ａに搬送する場合の図５（ａ）に示す状態の後続の状態での搬送部３４の一部の内部構造を示す模式図である。図６（ａ）は、臨時トレイ３６からセキュリティーボックス３７ａに搬送する場合の図５（ｂ）に示す状態の後続の状態での搬送部３４の一部の内部構造を示す模式図である。図６（ｂ）は、臨時トレイ３６からセキュリティーボックス３７ａに搬送する場合の図６（ａ）に示す状態の後続の状態での搬送部３４の一部の内部構造を示す模式図である。
【００４０】
図５および図６に示すように、搬送部３４は、臨時トレイ３６からセキュリティーボックス３７ａに記録媒体９０を搬送するための搬送路３４ａと、搬送路３４ａにおいて臨時トレイ３６からセキュリティーボックス３７ａに記録媒体９０を搬送する複数の搬送ローラー３４ｂと、臨時トレイ３６の一部を構成していて臨時トレイ３６上の記録媒体９０を搬送路３４ａに進入させるための可動板３４ｃとを備えている。
【００４１】
図５および図６においては、理解の容易のために搬送路が１つのみ描かれている。しかしながら、実際には、搬送路は、２つの臨時トレイ３６のそれぞれと、複数のセキュリティーボックス３７ａのそれぞれとの組み合わせの数だけ存在する。同様に、搬送ローラーは、図５および図６に示した搬送ローラー３４ｂだけでなく、実際には、搬送路に応じて存在する。
【００４２】
搬送部３４は、図５（ａ）に示すように記録媒体９０が臨時トレイ３６に載置されている場合に、図５（ｂ）に示すように可動板３４ｃの一端を下げることによって臨時トレイ３６に載置されている記録媒体９０を搬送路３４ａに進入させることができる。そして、搬送部３４は、搬送ローラー３４ｂを回転させることによって、図６（ａ）に示すように記録媒体９０を搬送路３４ａにおいて搬送した後、図６（ｂ）に示すように記録媒体９０をセキュリティーボックス３７ａに搬送することができる。
【００４３】
図３および図４に示す通常トレイ３５は、通常トレイ指定印刷データに基づいたプリンター３３による印刷が実行される場合に、プリンター３３によって印刷が実行された記録媒体が載置されるトレイであり、本発明の通常載置部を構成している。
【００４４】
臨時トレイ３６は、キャビネット指定印刷データに基づいたプリンター３３による印刷が実行される場合に、全てのセキュリティーボックス３７ａに記録媒体が収納されているとき、プリンター３３によって印刷が実行された記録媒体が載置されるトレイであり、本発明の臨時載置部を構成している。
【００４５】
セキュリティーボックス３７ａは、記録媒体を収納していない場合に青色に点灯し、記録媒体を収納している場合に赤色に点灯する媒体有無表示部３７ｂを備えている。
【００４６】
記憶部４１は、画像形成装置３０を制御するための装置制御プログラム４１ａを記憶している。装置制御プログラム４１ａは、例えば、画像形成装置３０の製造段階で画像形成装置３０にインストールされていても良いし、ＵＳＢメモリーなどの外部の記憶媒体から画像形成装置３０に追加でインストールされても良いし、ネットワーク上から画像形成装置３０に追加でインストールされても良い。
【００４７】
記憶部４１は、利用者の電子メールアドレスを管理するための電子メールアドレス管理情報４１ｂを記憶可能である。
【００４８】
図７は、電子メールアドレス管理情報４１ｂの一例を示す図である。
【００４９】
図７に示すように、電子メールアドレス管理情報４１ｂは、利用者ＩＤと、この利用者ＩＤによって特定される利用者の電子メールアドレスとを関連付けている情報である。
【００５０】
図４に示すように、記憶部４１は、セキュリティーボックス３７ａを管理するためのボックス管理情報４１ｃを記憶可能である。
【００５１】
図８は、ボックス管理情報４１ｃの一例を示す図である。
【００５２】
図８に示すように、ボックス管理情報４１ｃは、セキュリティーボックス３７ａの識別情報（以下「ボックスＩＤ」という。）と、このボックスＩＤによって特定されるセキュリティーボックス３７ａに収納された記録媒体を画像形成装置３０に印刷させた利用者の利用者ＩＤと、このボックスＩＤによって特定されるセキュリティーボックス３７ａに記録媒体が収納された時期（以下「媒体収納時期」という。）と、このボックスＩＤによって特定されるセキュリティーボックス３７ａの蓋を開けるためのパスワードとを関連付けている情報である。
【００５３】
図４に示すように、記憶部４１は臨時トレイ３６を管理するための臨時トレイ管理情報４１ｄを記憶可能である。
【００５４】
図９は、臨時トレイ管理情報４１ｄの一例を示す図である。
【００５５】
図９に示すように、臨時トレイ管理情報４１ｄは、臨時トレイ３６の識別情報（以下「臨時トレイＩＤ」という。）と、この臨時トレイＩＤによって特定される臨時トレイ３６に載置された記録媒体を画像形成装置３０に印刷させた利用者の利用者ＩＤと、この臨時トレイＩＤによって特定される臨時トレイ３６に記録媒体が載置された時期（以下「媒体載置時期」という。）とを関連付けている情報である。
【００５６】
図４に示す制御部４２は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４１に記憶されているプログラムを実行する。
【００５７】
制御部４２は、装置制御プログラム４１ａを実行することによって、プリンター３３による印刷を制御する印刷制御手段４２ａと、搬送部３４による記録媒体の搬送を制御する搬送制御手段４２ｂと、キャビネット３７に収納されている記録媒体の回収を利用者に依頼する回収依頼手段４２ｃと、記録媒体の出力先の希望を利用者に問い合わせる出力先問い合わせ手段４２ｄとを実現する。
【００５８】
次に、印刷システム１０の動作について説明する。
【００５９】
まず、無指定印刷データまたは通常トレイ指定印刷データがコンピューター２０から画像形成装置３０に送信される場合の印刷システム１０の動作について説明する。
【００６０】
利用者は、無指定印刷データを画像形成装置３０に送信することを、コンピューター２０の操作部２１を介してコンピューター２０に指示することができる。コンピューター２０の制御部２５は、無指定印刷データを画像形成装置３０に送信することが指示されると、無指定印刷データを生成し、生成した無指定印刷データを画像形成装置３０に送信する。
【００６１】
同様に、利用者は、通常トレイ指定印刷データを画像形成装置３０に送信することを、コンピューター２０の操作部２１を介してコンピューター２０に指示することができる。コンピューター２０の制御部２５は、通常トレイ指定印刷データを画像形成装置３０に送信することが指示されると、通常トレイ指定印刷データを生成し、生成した通常トレイ指定印刷データを画像形成装置３０に送信する。
【００６２】
画像形成装置３０の制御部４２は、無指定印刷データまたは通常トレイ指定印刷データを受信すると、図１０および図１１に示す動作を実行する。
【００６３】
図１０および図１１は、印刷データを受信した場合の画像形成装置３０の動作のフローチャートである。
【００６４】
図１０および図１１に示すように、印刷制御手段４２ａは、受信した印刷データ（以下「対象印刷データ」という。）がキャビネット指定印刷データであるか否かを判断する（Ｓ１０１）。
【００６５】
印刷制御手段４２ａは、対象印刷データとして無指定印刷データまたは通常トレイ指定印刷データを受信した場合、対象印刷データがキャビネット指定印刷データではないとＳ１０１において判断し、対象印刷データに基づいたプリンター３３による印刷を実行する（Ｓ１０２）。
【００６６】
次いで、搬送制御手段４２ｂは、Ｓ１０２において印刷が実行された全ての記録媒体を通常トレイ３５に搬送して（Ｓ１０３）、図１０および図１１に示す動作を終了する。
【００６７】
次に、キャビネット指定印刷データがコンピューター２０から画像形成装置３０に送信される場合の印刷システム１０の動作について説明する。
【００６８】
利用者は、キャビネット指定印刷データを画像形成装置３０に送信することを、コンピューター２０の操作部２１を介してコンピューター２０に指示することができる。コンピューター２０の制御部２５は、キャビネット指定印刷データを画像形成装置３０に送信することが指示されると、キャビネット指定印刷データを生成し、生成したキャビネット指定印刷データを画像形成装置３０に送信する。
【００６９】
画像形成装置３０の制御部４２は、キャビネット指定印刷データを受信すると、図１０および図１１に示す動作を実行する。
【００７０】
図１０および図１１に示すように、印刷制御手段４２ａは、対象印刷データがキャビネット指定印刷データであるか否かを判断する（Ｓ１０１）。
【００７１】
印刷制御手段４２ａは、対象印刷データとしてキャビネット指定印刷データを受信した場合、対象印刷データがキャビネット指定印刷データであるとＳ１０１において判断し、キャビネット３７の少なくとも１つのセキュリティーボックス３７ａに記録媒体が収納されていないか否かを判断する（Ｓ１２１）。ここで、印刷制御手段４２ａは、蓋がロックされており、内部に物が存在しないことが図示していないセンサーによって検出されるセキュリティーボックス３７ａのみを、記録媒体が収納されていないセキュリティーボックス３７ａとして判断する。そして、印刷制御手段４２ａは、記録媒体が収納されていないと判断しなかったセキュリティーボックス３７ａを、記録媒体が収納されているセキュリティーボックス３７ａとして判断する。
【００７２】
印刷制御手段４２ａは、キャビネット３７の少なくとも１つのセキュリティーボックス３７ａに記録媒体が収納されていないとＳ１２１において判断すると、対象印刷データに基づいたプリンター３３による印刷を実行する（Ｓ１２２）。
【００７３】
次いで、搬送制御手段４２ｂは、Ｓ１２２において印刷が実行された全ての記録媒体を、記録媒体が収納されていない、いずれか１つのセキュリティーボックス３７ａに搬送する（Ｓ１２３）。
【００７４】
次いで、回収依頼手段４２ｃは、Ｓ１２３において記録媒体が搬送されたセキュリティーボックス３７ａの蓋を開けるための任意のパスワードを自動で生成し（Ｓ１２４）、対象印刷データに含まれる利用者ＩＤと、Ｓ１２３において搬送された記録媒体がセキュリティーボックス３７ａに搬送された時期、すなわち、媒体収納時期と、Ｓ１２４において生成したパスワードとを、Ｓ１２３において記録媒体が搬送されたセキュリティーボックス３７ａのボックスＩＤに関連付けてボックス管理情報４１ｃに記憶する（Ｓ１２５）。
【００７５】
次いで、回収依頼手段４２ｃは、印刷済みの記録媒体をセキュリティーボックス３７ａに収納したことを通知するための電子メールを、対象印刷データに含まれる利用者ＩＤに関連付けて電子メールアドレス管理情報４１ｂに記憶されている電子メールアドレス宛てに送信して（Ｓ１２６）、図１０および図１１に示す動作を終了する。なお、回収依頼手段４２ｃは、Ｓ１２６において送信する電子メールにおけるメッセージに、Ｓ１２３において記録媒体が搬送されたセキュリティーボックス３７ａのボックスＩＤと、Ｓ１２４において生成したパスワードとを含ませる。
【００７６】
印刷制御手段４２ａは、キャビネット３７の全てのセキュリティーボックス３７ａに記録媒体が収納されているとＳ１２１において判断すると、少なくとも１つの臨時トレイ３６に記録媒体が載置されていないか否かを判断する（Ｓ１４１）。ここで、印刷制御手段４２ａは、上部に物が存在することが図示していないセンサーによって検出されない臨時トレイ３６を、記録媒体が載置されていない臨時トレイ３６として判断する。そして、印刷制御手段４２ａは、上部に物が存在することが図示していないセンサーによって検出される臨時トレイ３６を、記録媒体が載置されている臨時トレイ３６として判断する。
【００７７】
印刷制御手段４２ａは、少なくとも１つの臨時トレイ３６に記録媒体が載置されていないとＳ１４１において判断すると、対象印刷データに基づいたプリンター３３による印刷を実行する（Ｓ１４２）。
【００７８】
次いで、搬送制御手段４２ｂは、Ｓ１４２において印刷が実行された全ての記録媒体を、記録媒体が載置されていない、いずれか１つの臨時トレイ３６に搬送する（Ｓ１４３）。
【００７９】
次いで、回収依頼手段４２ｃは、対象印刷データに含まれる利用者ＩＤと、Ｓ１４３において搬送された記録媒体が臨時トレイ３６に搬送された時期、すなわち、媒体載置時期とを、Ｓ１４３において記録媒体が搬送された臨時トレイ３６の臨時トレイＩＤに関連付けて臨時トレイ管理情報４１ｄに記憶する（Ｓ１４４）。
【００８０】
次いで、回収依頼手段４２ｃは、ボックス管理情報４１ｃにおいて最も前の媒体収納時期に関連付けられているボックスＩＤ、利用者ＩＤおよびパスワードを特定し（Ｓ１４５）、セキュリティーボックス３７ａに収納されている記録媒体の回収を利用者に依頼するための電子メールを、Ｓ１４５において特定した利用者ＩＤに関連付けて電子メールアドレス管理情報４１ｂに記憶されている電子メールアドレス宛てに送信して（Ｓ１４６）、図１０および図１１に示す動作を終了する。なお、回収依頼手段４２ｃは、Ｓ１４６において送信する電子メールにおけるメッセージに、Ｓ１４５において特定したボックスＩＤおよびパスワードを含ませる。
【００８１】
印刷制御手段４２ａは、全ての臨時トレイ３６に記録媒体が載置されているとＳ１４１において判断すると、対象印刷データに基づいたプリンター３３による印刷を中止する（Ｓ１６１）。
【００８２】
次いで、出力先問い合わせ手段４２ｄは、記録媒体の出力先を通常トレイ３５にするか否かを利用者に問い合わせるための情報をコンピューター２０に送信し（Ｓ１６２）、問い合わせに対する回答をコンピューター２０から受信したと判断するまで、問い合わせに対する回答をコンピューター２０から受信したか否かを判断する（Ｓ１６３）。
【００８３】
コンピューター２０の制御部２５は、Ｓ１６２において画像形成装置３０によって送信された情報を受信すると、受信した情報に基づいた問い合わせ画面を表示部２２に表示する。したがって、利用者は、記録媒体の出力先を通常トレイ３５にするか否かを、問い合わせ画面において操作部２１を介して回答することができる。制御部２５は、記録媒体の出力先を通常トレイ３５にするか否かが操作部２１を介して回答されると、この回答を画像形成装置３０に送信する。
【００８４】
印刷制御手段４２ａは、問い合わせに対する回答をコンピューター２０から受信したとＳ１６３において判断されると、記録媒体の出力先を通常トレイ３５にするという回答が受け付けられたか否かを判断する（Ｓ１６４）。
【００８５】
印刷制御手段４２ａは、記録媒体の出力先を通常トレイ３５にしないという回答が受け付けられたとＳ１６４において判断すると、図１０および図１１に示す動作を終了する。
【００８６】
印刷制御手段４２ａは、記録媒体の出力先を通常トレイ３５にするという回答が受け付けられたと判断すると、Ｓ１６１において中止していた印刷を再開する（Ｓ１６５）。
【００８７】
次いで、搬送制御手段４２ｂは、Ｓ１６５において印刷が実行された全ての記録媒体を通常トレイ３５に搬送して（Ｓ１０３）、図１０および図１１に示す動作を終了する。
【００８８】
次に、セキュリティーボックス３７ａに収納されている記録媒体が回収される場合の画像形成装置３０の動作について説明する。
【００８９】
利用者は、Ｓ１２６またはＳ１４５において送信されてきた電子メールを、コンピューター２０など、任意のコンピューターによって確認することができる。そして、利用者は、セキュリティーボックス３７ａに収納されている記録媒体を回収することを希望する場合、セキュリティーボックス３７ａのロックを解除するための処理の開始を画像形成装置３０の操作部３１を介して画像形成装置３０に指示する。したがって、画像形成装置３０の制御部４２は、図１２に示す動作を開始する。
【００９０】
図１２は、セキュリティーボックス３７ａに収納されている記録媒体が回収される場合の画像形成装置３０の動作のフローチャートである。
【００９１】
図１２に示すように、画像形成装置３０の回収依頼手段４２ｃは、利用者が蓋を開けることを希望するセキュリティーボックス３７ａのボックスＩＤおよびパスワードを入力するための画面を表示部３２に表示し（Ｓ１８１）、ボックスＩＤおよびパスワードが入力されたと判断するまで、ボックスＩＤおよびパスワードが入力されたか否かを判断する（Ｓ１８２）。ここで、利用者は、Ｓ１２６またはＳ１４５において送信されてきた電子メールに含まれているボックスＩＤおよびパスワードを画像形成装置３０の操作部３１を介して画像形成装置３０に入力することができる。
【００９２】
回収依頼手段４２ｃは、ボックスＩＤおよびパスワードが入力されたとＳ１８２において判断すると、操作部３１を介して入力されたボックスＩＤおよびパスワードの組み合わせがボックス管理情報４１ｃに記憶されているか否かを判断する（Ｓ１８３）。
【００９３】
回収依頼手段４２ｃは、操作部３１を介して入力されたボックスＩＤおよびパスワードの組み合わせがボックス管理情報４１ｃに記憶されていないとＳ１８３において判断すると、操作部３１を介して入力されたボックスＩＤおよびパスワードの組み合わせが間違っている旨を表示部３２に表示して（Ｓ１８４）、図１２に示す動作を終了する。
【００９４】
回収依頼手段４２ｃは、操作部３１を介して入力されたボックスＩＤおよびパスワードの組み合わせがボックス管理情報４１ｃに記憶されているとＳ１８３において判断すると、このボックスＩＤによって特定されるセキュリティーボックス３７ａの蓋のロックを解除し（Ｓ１８５）、このボックスＩＤに関連付けられている利用者ＩＤ、媒体収納時期およびパスワードをボックス管理情報４１ｃから削除して（Ｓ１８６）、図１２に示す動作を終了する。したがって、利用者は、Ｓ１８５においてロックが解除されたセキュリティーボックス３７ａの蓋を開けて、このセキュリティーボックス３７ａから記録媒体を回収することができる。
【００９５】
なお、回収依頼手段４２ｃは、Ｓ１８５においてロックを解除したセキュリティーボックス３７ａの蓋が閉じられた場合に、このセキュリティーボックス３７ａの内部に物が存在しないことを図示していないセンサーによって検出すると、このセキュリティーボックス３７ａの蓋をロックする。
【００９６】
次に、臨時トレイ３６に載置されている記録媒体をセキュリティーボックス３７ａに搬送する場合の画像形成装置３０の動作について説明する。
【００９７】
画像形成装置３０の制御部４２は、画像形成装置３０が起動している間、図１３に示す動作を繰り返す。
【００９８】
図１３は、臨時トレイ３６に載置されている記録媒体をセキュリティーボックス３７ａに搬送する場合の画像形成装置３０の動作のフローチャートである。
【００９９】
図１３に示すように、搬送制御手段４２ｂは、少なくとも１つの臨時トレイ３６に記録媒体が載置されているか否かを判断する（Ｓ２０１）。ここで、搬送制御手段４２ｂは、上部に物が存在することが図示していないセンサーによって検出される臨時トレイ３６を、記録媒体が載置されている臨時トレイ３６として判断する。そして、搬送制御手段４２ｂは、上部に物が存在することが図示していないセンサーによって検出されない臨時トレイ３６を、記録媒体が載置されていない臨時トレイ３６として判断する。
【０１００】
搬送制御手段４２ｂは、全ての臨時トレイ３６に記録媒体が載置されていないとＳ２０１において判断すると、図１３に示す動作を終了する。
【０１０１】
搬送制御手段４２ｂは、少なくとも１つの臨時トレイ３６に記録媒体が載置されているとＳ２０１において判断すると、キャビネット３７の少なくとも１つのセキュリティーボックス３７ａに記録媒体が収納されていないか否かを判断する（Ｓ２０２）。ここで、搬送制御手段４２ｂは、蓋がロックされており、内部に物が存在しないことが図示していないセンサーによって検出されるセキュリティーボックス３７ａのみを、記録媒体が収納されていないセキュリティーボックス３７ａとして判断する。そして、搬送制御手段４２ｂは、記録媒体が収納されていないと判断しなかったセキュリティーボックス３７ａを、記録媒体が収納されているセキュリティーボックス３７ａとして判断する。
【０１０２】
搬送制御手段４２ｂは、キャビネット３７の全てのセキュリティーボックス３７ａに記録媒体が収納されているとＳ２０２において判断すると、図１３に示す動作を終了する。
【０１０３】
搬送制御手段４２ｂは、キャビネット３７の少なくとも１つのセキュリティーボックス３７ａに記録媒体が収納されていないとＳ２０２において判断すると、Ｓ２０１において記録媒体が載置されていると判断された臨時トレイ３６を示す臨時トレイＩＤに臨時トレイ管理情報４１ｄにおいて関連付けられている媒体載置時期のうち、最も前の媒体載置時期に関連付けられている臨時トレイＩＤおよび利用者ＩＤを特定し（Ｓ２０３）、Ｓ２０３において特定した臨時トレイＩＤによって特定される臨時トレイ３６に載置されている全ての記録媒体を、記録媒体が収納されていない、いずれか１つのセキュリティーボックス３７ａに搬送する（Ｓ２０４）。
【０１０４】
次いで、回収依頼手段４２ｃは、Ｓ２０４において記録媒体が搬送されたセキュリティーボックス３７ａの蓋を開けるための任意のパスワードを自動で生成し（Ｓ２０５）、Ｓ２０３において特定した利用者ＩＤと、Ｓ２０４において搬送された記録媒体がセキュリティーボックス３７ａに搬送された時期、すなわち、媒体収納時期と、Ｓ２０５において生成したパスワードとを、Ｓ２０４において記録媒体が搬送されたセキュリティーボックス３７ａのボックスＩＤに関連付けてボックス管理情報４１ｃに記憶する（Ｓ２０６）。
【０１０５】
次いで、回収依頼手段４２ｃは、印刷済みの記録媒体をセキュリティーボックス３７ａに収納したことを通知するための電子メールを、Ｓ２０３において特定した利用者ＩＤに関連付けて電子メールアドレス管理情報４１ｂに記憶されている電子メールアドレス宛てに送信して（Ｓ２０７）、図１３に示す動作を終了する。なお、回収依頼手段４２ｃは、Ｓ２０７において送信する電子メールにおけるメッセージに、Ｓ２０４において記録媒体が搬送されたセキュリティーボックス３７ａのボックスＩＤと、Ｓ２０５において生成したパスワードとを含ませる。
【０１０６】
以上に説明したように、画像形成装置３０は、少なくとも１つの臨時トレイ３６に記録媒体が載置されている場合に（Ｓ２０１でＹＥＳ）、少なくとも１つのセキュリティーボックス３７ａに記録媒体が収納されていないとき（Ｓ２０２でＹＥＳ）、いずれか１つの臨時トレイ３６に載置されている記録媒体を、記録媒体が収納されていない、いずれか１つのセキュリティーボックス３７ａに搬送する（Ｓ２０４）ので、臨時トレイ３６に記録媒体が長期間載置されたままになる可能性を低減することができ、その結果、印刷済みの記録媒体が他人に持ち去られたり、その印刷内容が他人に見られたりする可能性を低減することができる。
【０１０７】
特に、画像形成装置３０は、少なくとも１つの臨時トレイ３６に記録媒体が載置されている場合に（Ｓ２０１でＹＥＳ）、少なくとも１つのセキュリティーボックス３７ａに記録媒体が収納されていないとき（Ｓ２０２でＹＥＳ）、プリンター３３によって最も先に印刷が実行された記録媒体が載置されている臨時トレイ３６に載置されている記録媒体を、記録媒体が収納されていない、いずれか１つのセキュリティーボックス３７ａに搬送する（Ｓ２０３およびＳ２０４）ので、プリンター３３による印刷が実行された記録媒体をセキュリティーボックス３７ａに搬送する順番に関する公平性を向上することができる。
【０１０８】
なお、画像形成装置３０は、プリンター３３によって最も先に印刷が実行された記録媒体が載置されている臨時トレイ３６以外の臨時トレイ３６に載置されている記録媒体をＳ２０４において搬送しても良い。
【０１０９】
画像形成装置３０は、全てのセキュリティーボックス３７ａに記録媒体が収納されていて（Ｓ１２１でＮＯ）、全ての臨時トレイ３６に記録媒体が載置されている場合（Ｓ１４１でＮＯ）、出力先としてセキュリティーボックス３７ａが指定された印刷データ、すなわち、キャビネット指定印刷データに基づいたプリンター３３による印刷の出力先を通常トレイ３５にするという回答を利用者から受け付けたときに（Ｓ１６４でＹＥＳ）、プリンター３３によって印刷が実行された記録媒体を通常トレイ３５に搬送する（Ｓ１０３）ので、利用者が意図していない記録媒体が通常トレイ３５に載置されたままになることを防止することができる。
【０１１０】
画像形成装置３０は、全てのセキュリティーボックス３７ａに記録媒体が収納されている場合に（Ｓ１２１でＮＯ）、セキュリティーボックス３７ａに収納されている記録媒体の回収を利用者に依頼する（Ｓ１４６）ので、少なくとも１つのセキュリティーボックス３７ａに記録媒体が収納されていないタイミングで記録媒体の回収を不必要に利用者に依頼することを抑えることができ、利便性を向上することができる。
【０１１１】
特に、画像形成装置３０は、全てのセキュリティーボックス３７ａに記録媒体が収納されている場合に（Ｓ１２１でＮＯ）、セキュリティーボックス３７ａに収納されている記録媒体のうち、プリンター３３によって最も先に印刷が実行された記録媒体について回収を利用者に依頼する（Ｓ１４５およびＳ１４６）ので、セキュリティーボックス３７ａに記録媒体が収納されたままにすることに関する利用者間の公平性を向上することができ、その結果、利便性を向上することができる。
【０１１２】
なお、画像形成装置３０は、セキュリティーボックス３７ａに収納されている記録媒体のうち、プリンター３３によって最も先に印刷が実行された記録媒体以外の記録媒体について回収をＳ１４６において依頼しても良い。
【０１１３】
画像形成装置３０は、本実施の形態においてセキュリティーボックス３７ａを複数備えているが、セキュリティーボックス３７ａを１つのみ備える構成でも良い。
【０１１４】
画像形成装置３０は、本実施の形態において臨時トレイ３６を２つ備えているが、臨時トレイ３６を１つのみ備える構成でも良いし、臨時トレイ３６を３つ以上備える構成でも良い。
【０１１５】
画像形成装置３０は、本実施の形態において、通常載置部と、臨時載置部とを、鉛直方向における位置が異なる別々のトレイとして備えている。しかしながら、画像形成装置３０は、通常載置部と、臨時載置部とを、１つのトレイの中に、水平方向における異なる領域として備えても良い。同様に、画像形成装置３０は、複数の臨時載置部を、１つのトレイの中に、水平方向における異なる領域として備えても良い。
【符号の説明】
【０１１６】
３０  画像形成装置
３３  プリンター（印刷デバイス）
３４  搬送部（搬送デバイス）
３５  通常トレイ（通常載置部）
３６  臨時トレイ（臨時載置部）
３７ａ  セキュリティーボックス（収納トレイ）
４１ａ  装置制御プログラム
４２ａ  印刷制御手段
４２ｂ  搬送制御手段
４２ｃ  回収依頼手段
４２ｄ  出力先問い合わせ手段
９０  記録媒体
【図１】
2019055873.tif 000003
【図２】
2019055873.tif 000004
【図３】
2019055873.tif 000005
【図４】
2019055873.tif 000006
【図５】
2019055873.tif 000007
【図６】
2019055873.tif 000008
【図７】
2019055873.tif 000009
【図８】
2019055873.tif 000010
【図９】
2019055873.tif 000011
【図１０】
2019055873.tif 000012
【図１１】
2019055873.tif 000013
【図１２】
2019055873.tif 000014
【図１３】
2019055873.tif 000015